(57)【要約】【課題】マクロ基地局装置のＰＵＣＣＨのリソースはＰｃｅｌｌとＳｃｅｌｌのＰＤＳＣＨに対するＡ／Ｎが割り当てられ、多くのＰＵＣＣＨのリソースが必要となる。そのため、Ｐｃｅｌｌのみと通信可能な端末装置は、アップリンクのデータ伝送に用いるリソースが不足する問題があった。【解決手段】端末装置は、マクロ基地局装置が構成する少なくとも１つのＣＣと、ピコ基地局装置が構成する少なくとも１つのＣＣを用いて送信されたデータを受信することが可能であり、前記端末装置はダウンリンクの周波数リソース割当を含む第１の制御情報を受信した際、前記第１の制御情報を受信したＣＣが、マクロ基地局装置が構成するＣＣかピコ基地局装置が構成するＣＣかの情報に基づいて、ダウンリンクのデータ伝送に対するＡ／Ｎを含む第２の制御情報を送信するＣＣを決定する。【選択図】図４
2016058760.tif 000002
【特許請求の範囲】
【請求項１】
マクロ基地局装置が構成する少なくとも１つのＣＣと、ピコ基地局装置が構成する少なくとも１つのＣＣとを用いて送信されたデータを受信することが可能な端末装置であって、
ダウンリンクの周波数リソース割当を含む第１の制御情報を受信するＤＬ制御情報検出部と、
ダウンリンクのデータ伝送に対するＡ／Ｎを含む第２の制御情報を送信するＣＣを決定するＣＣ決定部と、を有し、
前記ＣＣ決定部は、前記第１の制御情報を受信したＣＣが、マクロ基地局装置が構成するＣＣかピコ基地局装置が構成するＣＣかの情報に基づいて、前記第２の制御情報を送信するＣＣを決定することを特徴とする端末装置。
【請求項２】
前記ＣＣ決定部は、前記第１の制御情報を受信したＣＣのセルＩＤの情報に基づいて、前記制御情報がマクロ基地局装置から送信された情報か、ピコ基地局装置から送信された情報かを判別し、
前記第１の制御情報が、ピコ基地局装置から送信された情報である場合、前記第２の制御情報を前記ピコ基地局装置の構成するＣＣより送信することを決定することを特徴とする請求項１記載の端末装置。
【請求項３】
前記端末装置は、マクロ基地局装置が構成する１つのＣＣをプライマリセルとし、マクロ基地局装置が構成する他のＣＣとピコ基地局装置が構成する少なくとも１つのＣＣをセカンダリセルとする際に、
前記ＣＣ決定部は、前記第１の制御情報を受信したＣＣがプライマリセルかセカンダリセルかの情報に基づいて、前記第２の制御情報を送信するＣＣを決定することを特徴とする請求項２記載の端末装置。
【請求項４】
前記ＣＣ決定部は、前記ＤＬ制御情報検出部がプライマリセルとセカンダリセルの両方から前記第１の制御情報を受信した際に、前記第２の制御情報の送信に前記セカンダリセルを用いることを決定することを特徴とする請求項３記載の端末装置。
【請求項５】
前記ＣＣ決定部は、前記第２の制御情報の送信に用いるフォーマットに基づいて、前記第２の制御情報を送信するＣＣを決定することを特徴とする請求項３に記載の端末装置。
【請求項６】
前記ＣＣ決定部は、前記ＤＬ制御情報検出部が少なくとも１つのセカンダリセルから前記第１の制御情報を受信した際に、前記第２の制御情報の送信に前記セカンダリセルを用いることを決定することを特徴とする請求項３記載の端末装置。
【請求項７】
前記端末装置は、前記第２の制御情報の送信に使用するＣＣに基づいて前記第２の制御情報の送信に用いる送信電力を決定するＵＬ制御情報送信電力制御部を具備することを特徴とする請求項３記載の端末装置。
【請求項８】
前記ＵＬ制御情報送信電力制御部は、前記第２の制御情報の送信に使用するＣＣ毎に異なる目標受信電力を設定することを特徴とする請求項７記載の端末装置。
【請求項９】
前記ＣＣ決定部は、前記第１の制御情報に含まれるダウンリンクのデータ伝送に対するＡ／Ｎを送信するＣＣの情報に基づいて、前記第２の制御情報を送信するＣＣを決定することを特徴とする請求項３記載の端末装置。
【請求項１０】
プライマリセルである１つのＣＣと、セカンダリセルである１以上のＣＣを用いて送信されたデータを受信することが可能な端末装置であって、
接続しているＣＣを管理する接続ＣＣ管理部と、
前記接続ＣＣ管理部で管理しているＣＣにセカンダリセルが含まれている場合、ダウンリンクのデータ伝送に対するＡ／Ｎを含むアップリンクの制御情報をセカンダリセルより送信することを決定するＣＣ決定部を有することを特徴とする端末装置。
【発明の詳細な説明】
【技術分野】
【０００１】
本発明は、端末装置、基地局装置、無線通信システムおよび通信方法に関する。
【背景技術】
【０００２】
第３．９世代の携帯電話の無線通信システムであるＬＴＥ（Long Term Evolution）システムの標準化が完了し、現在は第４世代の無線通信システムの１つとして、ＬＴＥシステムをより発展させたＬＴＥ−Ａ（LTE-Advanced、IMT-Aなどとも称する。）システムの標準化が行われている。
【０００３】
ＬＴＥシステム（LTE Rel.8）のアップリンク（端末装置から基地局装置への伝送）の制御情報では、Ａ／Ｎ（Acknowledgement / Negative Acknowledgement）やＣＳＩ（Channel State Information）を通知する。Ａ／Ｎは、ダウンリンク（基地局装置から端末装置への伝送）のデータ伝送を受けた端末装置（移動局装置、ユーザ装置とも呼称される）が正しくデータを復号できたかを基地局装置に通知するための情報である。ＣＳＩは、基地局装置がダウンリンクのデータ伝送に用いるＰＤＳＣＨ（Physical Downlink Shared CHannel）の周波数リソース割当（RA：Resource Allocation）やランク数、ＭＣＳ（Modulation and Coding Scheme）などを決定するのに用いるチャネル情報であり、基地局装置が送信する参照信号（ＣＲＳやＣＳＩ−ＲＳ等）によって端末装置が算出する。これらの制御情報は、ＰＵＣＣＨ（Physical Uplink Control CHannel）に配置されて送信されることができる。また、ＰＵＣＣＨには、複数のフォーマットが用意されており、送信する制御情報により使用するフォーマットが異なる。ＳＲ（Scheduling Request）を送信する場合にはＦｏｒｍａｔ１が使用される。Ａ／Ｎを送信する場合には、１ビットの場合と２ビットの場合があり、それぞれＦｏｒｍａｔ１ａ、Ｆｏｒｍａｔ１ｂが使用される。ＣＳＩを送信する場合には、Ｆｏｒｍａｔ２が使用される。Ａ／Ｎ送信とＣＳＩの同時送信することも可能であり、この場合には、Ｆｏｒｍａｔ２ａやＦｏｒｍａｔ２ｂが使用される。
【０００４】
ＬＴＥ−Ａシステム（LTE Rel.10）では、ＬＴＥシステムの一つのシステム帯域をコンポーネントキャリア（CC:Component Carrier、serving cellとも称される）とし、複数のＣＣを同時に使用するキャリアアグリゲーション（CA:Carrier Aggregation）技術も採用されている。ＣＡを用いる場合には、１つのＣＣはすべての機能を実現できるプライマリセル（Pcell:Primary cell）として用いられ、その他のＣＣはセカンダリセル（Scell: Secondary cell）として用いられる。Ｐｃｅｌｌでは、ＰＵＣＣＨの信号の送信やＳｅｍｉ−ｐｅｒｓｉｓｔｅｎｔ  Ｓｃｈｅｄｕｌｉｎｇ、Ｒａｎｄｏｍ  ａｃｃｅｓｓ  ｐｒｏｃｅｄｕｒｅが可能であるが、Ｓｃｅｌｌはこれらの機能を持たない。よって、ＣＡによるダウンリンクでは、Ｐｃｅｌｌで複数のＣＣのＡ／Ｎを送信するために、複数のＣＣのＡ／Ｎの情報はＰＵＣＣＨ  Ｆｏｒｍａｔ１ｂ  ｗｉｔｈ  ｃｈａｎｎｅｌ  ｓｅｌｅｃｔｉｏｎもしくは、Ｆｏｒｍａｔ３により、１つの制御情報で通知される（非特許文献１参照）。
【０００５】
一方、Ｒｅｌ.１１以降ではカバレッジの広いマクロ基地局装置（Macro eNB: evolved Node B）のトラフィックを軽減するためにカバレッジの狭いピコ基地局装置（Pico eNB、LPN: Low Power Node、RRH: Remote Radio Headとも称される）を設置したシナリオが検討されている。ここで、マクロ基地局装置とピコ基地局装置のカバレッジの差は、最大送信電力やアンテナの利得や指向性等の違いにより生じる。さらに、マクロ基地局装置とピコ基地局装置は異なる周波数帯、例えば２ＧＨｚ帯と３．５ＧＨｚ帯とするシナリオと、同一周波数帯を使用するシナリオの両方が検討されている。また、Ｒｅｌ.１２の端末装置は、マクロ基地局装置とピコ基地局装置の両方と接続している状態のｄｕａｌ  ｃｏｎｎｅｃｔｉｖｉｔｙで使用することが検討されている（非特許文献２参照）。この場合、端末装置は、マクロ基地局装置が構成するセルをＰｃｅｌｌとし、ピコ基地局装置が構成するセルをＳｃｅｌｌとすることで、端末装置が移動している場合にＰｃｅｌｌを切り替えるハンドオーバが頻繁に行われないようにすることが考えられる。
【先行技術文献】
【非特許文献】
【０００６】
【非特許文献１】3GPP TS 36.213 V11.0.0 “Evolved Universal Terrestrial Radio Access (E-UTRA) Physical layer procedures”
【非特許文献２】R1-122033, “New Study Item Description: Small Cell enhancements for E-UTRA and E-UTRAN - Higher-layer aspects”, NTT DOCOMO, INC.
【発明の概要】
【発明が解決しようとする課題】
【０００７】
ピコ基地局装置を導入することにより、マクロ基地局装置のＰＤＳＣＨのトラフィックをオフロードすることはできるが、ＰＤＳＣＨで受信したデータ信号のＡ／Ｎを送信するＰＵＣＣＨはＰｃｅｌｌであるマクロ基地局装置にしか送ることができない。そのため、マクロ基地局装置のＰＵＣＣＨのリソースはＰｃｅｌｌとＳｃｅｌｌの両方のＰＤＳＣＨに対するＡ／Ｎが割り当てられ、多くのＰＵＣＣＨのリソースが必要となる。ＰＵＣＣＨのリソースは、アップリンクのデータ伝送に用いるＰＵＳＣＨ（Physical Uplink Shared CHannel）の帯域幅を狭くすることで増やすことができる。そのため、Ｐｃｅｌｌであるマクロ基地局装置のみと通信可能な端末装置は、アップリンクのデータ伝送に用いるリソースが不足する問題があった。
【０００８】
本発明は上記の点に鑑みてなされたものであり、マクロ基地局装置をＰｃｅｌｌとし、ピコ基地局装置をＳｃｅｌｌとした場合に、ＰＵＣＣＨのトラフィックを軽減する端末装置、基地局装置、及び無線通信システムを提供する。
【課題を解決するための手段】
【０００９】
（１）本発明は上記の課題を解決するためになされたものであり、本発明の一態様は、マクロ基地局装置が構成する少なくとも１つのＣＣと、ピコ基地局装置が構成する少なくとも１つのＣＣとを用いて送信されたデータを受信することが可能な端末装置であって、ダウンリンクの周波数リソース割当を含む第１の制御情報を受信するＤＬ制御情報検出部と、ダウンリンクのデータ伝送に対するＡ／Ｎを含む第２の制御情報を送信するＣＣを決定するＣＣ決定部と、を有し、前記ＣＣ決定部は、前記第１の制御情報を受信したＣＣが、マクロ基地局装置が構成するＣＣかピコ基地局装置が構成するＣＣかの情報に基づいて、前記第２の制御情報を送信するＣＣを決定する。
【００１０】
（２）また、本発明の一態様は、前記ＣＣ決定部は、前記第１の制御情報を受信したＣＣのセルＩＤの情報に基づいて、前記制御情報がマクロ基地局装置から送信された情報か、ピコ基地局装置から送信された情報かを判別し、前記第１の制御情報が、ピコ基地局装置から送信された情報である場合、前記第２の制御情報を前記ピコ基地局装置の構成するＣＣより送信することを決定する。
【００１１】
（３）また、本発明の一態様は、前記端末装置は、マクロ基地局装置が構成する１つのＣＣをプライマリセルとし、マクロ基地局装置が構成する他のＣＣとピコ基地局装置が構成する少なくとも１つのＣＣをセカンダリセルとする際に、前記ＣＣ決定部は、前記第１の制御情報を受信したＣＣがプライマリセルかセカンダリセルかの情報に基づいて、前記第２の制御情報を送信するＣＣを決定する。
【００１２】
（４）また、本発明の一態様は、前記ＣＣ決定部は、前記ＤＬ制御情報検出部がプライマリセルとセカンダリセルの両方から前記第１の制御情報を受信した際に、前記第２の制御情報の送信に前記セカンダリセルを用いることを決定する。
【００１３】
（５）また、本発明の一態様は、前記ＣＣ決定部は、前記第２の制御情報の送信に用いるフォーマットに基づいて、前記第２の制御情報を送信するＣＣを決定する。
【００１４】
（６）また、本発明の一態様は、前記ＣＣ決定部は、前記ＤＬ制御情報検出部が少なくとも１つのセカンダリセルから前記第１の制御情報を受信した際に、前記第２の制御情報の送信に前記セカンダリセルを用いることを決定する。
【００１５】
（７）また、本発明の一態様は、前記端末装置は、前記第２の制御情報の送信に使用するＣＣに基づいて前記第２の制御情報の送信に用いる送信電力を決定するＵＬ制御情報送信電力制御部を具備する。
【００１６】
（８）また、本発明の一態様は、前記ＵＬ制御情報送信電力制御部は、前記第２の制御情報の送信に使用するＣＣ毎に異なる目標受信電力を設定する。
【００１７】
（９）また、本発明の一態様は、前記ＣＣ決定部は、前記第１の制御情報に含まれるダウンリンクのデータ伝送に対するＡ／Ｎを送信するＣＣの情報に基づいて、前記第２の制御情報を送信するＣＣを決定する。
【００１８】
（１０）また、本発明の一態様は、プライマリセルである１つのＣＣと、セカンダリセルである１以上のＣＣを用いて送信されたデータを受信することが可能な端末装置であって、接続しているＣＣを管理する接続ＣＣ管理部と、前記接続ＣＣ管理部で管理しているＣＣにセカンダリセルが含まれている場合、ダウンリンクのデータ伝送に対するＡ／Ｎを含むアップリンクの制御情報をセカンダリセルより送信することを決定するＣＣ決定部を有する。
【発明の効果】
【００１９】
本発明によれば、ＰＵＣＣＨを効率的に使用することができ、システム全体のスループットを向上させることが可能となる。
【図面の簡単な説明】
【００２０】
【図１】第１の実施形態に係るセルラシステムのダウンリンクの概略図である。
【図２】本発明の第１の実施形態に係るマクロ基地局装置の構成の一例を示す概略ブロック図である。
【図３】第１の実施形態に係るダウンリンクのＣＡの一例を示す図である。
【図４】第１の実施形態に係る端末装置の構成の一例を示す概略ブロック図である。
【図５】第１の実施形態に係るＰＵＣＣＨの信号を送信するＣＣの決定方法のフローチャートの一例である。
【図６】第１の実施形態に係るＰＵＣＣＨの送信に用いるフォーマットの決定方法のフローチャートの一例である。
【図７】第１の実施形態の変形例に係る端末装置の構成の一例を示す概略ブロック図である。
【図８】第１の実施形態の変形例に係るＰＵＣＣＨの信号を送信するＣＣの決定方法のフローチャートの一例である。
【図９】第２の実施形態に係る端末装置の構成の一例を示す概略ブロック図である。
【図１０】第３の実施形態に係る端末装置の構成の一例を示す概略ブロック図である。
【図１１】第３の実施形態に係るＰＵＣＣＨの信号を送信するＣＣの決定方法のフローチャートの一例である。
【図１２】第４の実施形態に係る端末装置の構成の一例を示す概略ブロック図である。
【図１３】第５の実施形態に係る端末装置の構成の一例を示す概略ブロック図である。
【図１４】第５の実施形態に係るＰＵＣＣＨの信号を送信するＣＣの決定方法のフローチャートの一例である。
【発明を実施するための形態】
【００２１】
以下、本発明の実施形態について図面を参照して説明する。以下の各実施形態では、データ伝送を行う送信装置を基地局装置（eNB；evolved Node B）とし、データを受信する受信装置を端末装置（ユーザ装置、ＵＥ、移動局装置）とする。
【００２２】
（第１の実施形態）
図１は、本発明の第１の実施形態に係るセルラシステムの下り回線（ダウンリンク）の概略図である。図１のセルラシステムでは、広いカバレッジ(セル半径が大きい)のマクロ基地局装置（Macro eNB）が存在し、マクロ基地局装置の構成するセルＭ１内にセル半径が小さいスモールセルＰ１を構成するピコ基地局装置（Pico eNB）が存在し、いずれかもしくは両方の基地局装置へ接続する端末装置ＵＥ１、ＵＥ２が存在する。ここで、端末装置ＵＥ１、ＵＥ２は、マクロ基地局装置をＳｅｍｉ−ｐｅｒｓｉｓｔｅｎｔ  Ｓｃｈｅｄｕｌｉｎｇ、Ｒａｎｄｏｍ  ａｃｃｅｓｓ  ｐｒｏｃｅｄｕｒｅが可能なＰｃｅｌｌ（Primary cell）として接続している。また、同図の端末装置ＵＥ１は、ピコ基地局装置をＰｃｅｌｌの一部の機能を有さないＳｃｅｌｌ（Secondary cell）として接続している。ここで、Ｓｃｅｌｌはディアクティベーション（Deactivation）とすることができ、ＤｅａｃｔｉｖａｔｉｏｎのＳｃｅｌｌはＣＳＩの測定やＰＤＣＣＨやＰＤＳＣＨの受信処理が不要となる。一方、Ｐｃｅｌｌでは、Ｄｅａｃｔｉｖａｔｉｏｎにすることはできず、常にＰＤＣＣＨなどを受信しておく必要がある。
【００２３】
図１の端末装置ＵＥ１は、マクロ基地局装置とピコ基地局装置の両方もしくはいずれか一方からのダウンリンクの制御情報であるＰＤＣＣＨ（Physical Downlink Control CHannel）を受信し、各基地局装置が送信したダウンリンクのデータ伝送で用いる通信パラメータを受信する。この通信パラメータには、周波数リソース割当（RA：Resource Allocation）やランク数、ＭＣＳ（Modulation and Coding Scheme）、ＰＭＩ（Precoding Matrix Indicator）などがある。端末装置ＵＥ１は、各基地局装置よりＰＤＣＣＨで通知された通信パラメータに基づいて伝送されたデータを受信する。ここで、各基地局装置が用いる周波数帯域をコンポーネントキャリア（CC:Component Carrier、serving cellとも称される）とする。そのため、これらの基地局装置より同時にデータを受信する場合には、端末装置ＵＥ１は、ダウンリンクのキャリアアグリゲーション（CA:Carrier Aggregation）によるデータ受信を行なう。端末装置ＵＥ１は、受信したデータを正しく復号できたかを示すＡ／Ｎ（Acknowledgement / Negative Acknowledgement）をＰＵＣＣＨ（Physical Uplink Control CHannel）に配置し、いずれかの基地局装置へ通知する。本実施形態では、端末装置ＵＥ１はＰＵＣＣＨで送信する制御情報の種類に応じて、ＰＵＣＣＨの信号を送信するＣＣもしくは基地局装置を選択するが、詳細は後述する。
【００２４】
次に、端末装置ＵＥ２は、マクロ基地局装置のみと接続しているため、マクロ基地局装置よりＰＤＤＣＨを受信し、ＬＴＥシステム（LTE Rel.8）やＬＴＥ−Ａシステム（LTE Rel.10）のダウンリンクと同様のデータ受信を行う。端末装置ＵＥ２は、受信したデータを正しく復号できたかを示すＡ／Ｎをマクロ基地局装置のＣＣのＰＵＣＣＨに配置し、マクロ基地局装置へ通知する。
【００２５】
（第１の実施形態）
本発明の第１の実施形態に係るマクロ基地局装置の構成の一例を示す概略ブロック図を図２に示す。マクロ基地局装置は、受信アンテナ１０９で端末装置からＰＵＣＣＨを用いて送信された制御情報を受信する。ＰＵＣＣＨで送信される制御情報には、ＳＲ（Scheduling Request）やＡ／Ｎ、チャネル品質の情報であるＣＳＩ（Channel State Information）がある。受信した信号は、受信部１１０において、ダウンコンバート、Ａ／Ｄ（Ａｎａｌｏｇ／Ｄｉｇｉｔａｌ；アナログ／ディジタル）変換などの処理が施され、制御情報検出部１１１に入力される。ＣＳＩを受信した場合には、制御情報検出部１１１はＣＳＩを抽出し、スケジューリング部１１２に入力する。なおＣＳＩはＰＵＳＣＨによって送信されてもよく、その場合は制御情報検出部１１１はＰＵＳＣＨに含まれるＣＳＩを抽出し、スケジューリング部１１２に入力する。制御情報検出部１１１は、Ａ／Ｎを受信した場合は、Ａ／Ｎを抽出し、スケジューリング部１１２へ入力する。制御情報検出部１１１は、複数の基地局装置のＡ／Ｎを受信した場合には、他の基地局装置のダウンリンクのデータ伝送に関するＡ／Ｎを他の基地局装置のスケジューリング部に通知する。
【００２６】
スケジューリング部１１２は、複数の端末装置のＣＳＩが入力されており、次回の伝送タイミングでダウンリンクのデータを伝送する端末装置を選択し、ＣＳＩに基づいて周波数リソース割当やランク数、ＭＣＳ、ＰＭＩなどのダウンリンク伝送に用いる通信パラメータを決定する。決定した通信パラメータは、ＤＬ制御情報生成部１１３に入力される。また、スケジューリング部１１２は、ダウンリンクのデータ伝送した結果、端末装置が正しくデータを検出できたかを示すＡ／Ｎも入力されている。スケジューリング部１１２は、ＮＡＣＫ（Negative ACKnowledgement）が入力された場合には、ＮＡＣＫとなったデータ信号を再送する必要があるため、Ａ／Ｎの情報を再送制御部１０１−１〜１０１−Ｍに入力する。
【００２７】
ＤＬ制御情報生成部１１３は、入力された通信パラメータを通知する端末装置毎に制御情報フォーマットに変換し、生成した制御情報フォーマットを制御情報多重部１０５−１〜１０５−Ｍ、ＤＬ制御情報管理部１１５に入力する。ＤＬ制御情報管理部１１５は、端末装置へＰＤＣＣＨより通知するダウンリンクのデータ伝送に係る通信パラメータとその制御情報の送信するタイミングを他の基地局装置へ通知する。また、ＤＬ制御情報管理部１１５は、他の基地局装置から制御情報を送信タイミングの情報が入力される。該制御情報には、他の基地局装置が構成するＣＣにおけるダウンリンクのデータ伝送に係る通信パラメータが含まれ、該通信パラメータもＤＬ制御情報管理部１１５へ入力される。ＤＬ制御情報管理部１１５は、端末装置が同一タイミングで受信する各ＣＣのＰＤＣＣＨフォーマット情報に基づいて、同一サブフレーム内に複数のＣＣのダウンリンクのデータ受信を行うかを判別する。つまり、端末装置は、ＰＤＣＣＨフォーマット情報や数によって、同一タイミングで受信した端末装置毎にＰＤＳＣＨでＣＡが適用されるかを判別する。ダウンリンクでＣＡを行う場合には、端末装置は複数の基地局装置に対するＡ／Ｎをいずれか１つの基地局装置にのみ送信することを意味する。そのため、ＤＬ制御情報管理部１１５は端末装置からのＡ／Ｎを受信する場合には、制御情報検出部１１１に通知する。ここで、ＤＬ制御情報管理部１１５は、自装置でＡ／Ｎを受信するか、他の基地局装置が受信するかの判断を行なうが、この判断方法については後述する。
【００２８】
再送制御部１０１−１〜１０１−Ｍは、データビット列が入力され、スケジューリング部１１２よりＡ／Ｎが入力される。ＡＣＫが入力された場合、再送制御部１０１−１〜１０１−Ｍは、ＡＣＫが通知された送信信号の生成に用いたデータビット列を破棄し、新しいデータビット列を符号化部１０２−１〜１０２−Ｍに入力する。ＮＡＣＫが入力された場合、再送制御部１０１−１〜１０１−Ｍは、前の送信タイミングで送信したデータビット列を符号化部１０２−１〜１０２−Ｍに入力する。ここで、Ａ／Ｎは、符号化するデータビット列の単位（コードワード単位）で通知されるものとするが、バンドリングなどにより複数のコードワードを１つのＡ／Ｎで通知しても良い。以下、符号化部１０２−２〜１０２−Ｍから送信アンテナ１０８−２〜１０８−Ｍはそれぞれ符号化部１０２−１から送信アンテナ１０８−１の各ブロックと同様の処理を行うため、符号化部１０２−１から送信アンテナ１０８−１の処理のみを説明する。
【００２９】
符号化部１０２−１は、入力されたデータビット列に対し、誤り訂正符号の符号化を施す。誤り訂正符号には、例えば、ターボ符号やＬＤＰＣ（Low Density Parity Check）符号などが用いられる。符号化部１０２−１で施す誤り訂正符号の種類は、送受信装置で予め決められていても良いし、送受信機会毎に制御情報として通知されても良い。符号化部１０２−１は、ＰＤＣＣＨで端末装置に通知したＭＣＳに含まれる符号化率に基づいて、符号化ビット列に対してパンクチャを行う。符号化部１０２−１は、パンクチャした符号化ビット列を変調部１０３−１へ出力する。
【００３０】
変調部１０３−１は、符号部１０２−１から入力された符号化ビット列に対して、ＰＤＣＣＨで端末装置に通知した変調方式で変調を施すことで、変調シンボル列を生成する。変調方式には、例えば、ＱＰＳＫ（Ｑｕａｔｅｒｎａｒｙ Ｐｈａｓｅ Ｓｈｉｆｔ Ｋｅｙｉｎｇ；四相位相偏移変調）、１６ＱＡＭ（１６−ａｒｙ  Ｑｕａｄｒａｔｕｒｅ  Ａｍｐｌｉｔｕｄｅ  Ｍｏｄｕｌａｔｉｏｎ；１６直交振幅変調）や６４ＱＡＭなどがある。変調部１０３−１は、生成した変調シンボル列を信号割当部１０４−１へ出力する。
【００３１】
信号割当部１０４−１は、ＰＤＣＣＨで端末装置に通知した周波数リソース割当の情報に基づいて変調シンボル列を周波数帯域に配置する。信号割当部１０４−１は、参照信号生成部１１４より生成された参照信号も入力され、参照信号もダウンリンクのデータ信号に多重する。本明細書における参照信号は、ＣＲＳ（Common Reference Signal）やＣＳＩ−ＲＳ、ＤＭＲＳ（De-Modulation Reference Signal）などがある。信号割当部１０４−１は、参照信号を多重した送信信号を制御情報多重部１０５−１に出力する。
【００３２】
制御情報多重部１０５−１は、参照信号が多重された信号が入力され、ＤＬ制御情報生成部１１３より端末装置へ通知する制御情報が入力され、制御情報と参照信号が多重されたデータ信号を多重する。制御情報多重部１０５−１は、制御信号を多重した信号をＩＦＦＴ部１０６−１に入力する。
【００３３】
ＩＦＦＴ部１０６−１は、制御情報多重部１０５−１から制御信号が多重された信号が入力され、入力された信号を逆高速フーリエ変換することで、周波数領域信号列から時間領域信号列に変換する。時間領域信号列は、送信処理部１０７−１に入力される。送信処理部１０７−１は、時間領域信号列にＣＰ（Ｃｙｃｌｉｃ  Ｐｒｅｆｉｘ；サイクリックプレフィックス）を挿入し、Ｄ／Ａ（Ｄｉｇｉｔａｌ／Ａｎａｌｏｇ；ディジタル／アナログ）変換でアナログの信号に変換し、変換後の信号を伝送に使用する無線周波数にアップコンバートする。送信処理部１０７−１は、アップコンバートした信号を、ＰＡ（Ｐｏｗｅｒ  Ａｍｐｌｉｆｉｅｒ）で増幅し、増幅後の信号を送信アンテナ１０８−１を介して送信する。符号化部１０２−１〜１０２−Ｍから送信アンテナ１０８−１〜１０８−Ｍは同様の処理を行う。なお、送信アンテナの数Ｍは１以上であれば良く、必ずしも複数有する必要はない。複数の送信アンテナを使用してデータ伝送を行う場合には、図２のように空間多重を用いたＭＩＭＯ（Ｍｕｌｔｉｐｌｅ  Ｉｎｐｕｔ  Ｍｕｌｔｉｐｌｅ  Ｏｕｔｐｕｔ）伝送としても良いし、送信アンテナダイバーシチとしても良い。また、信号割当部１０４−１〜１０４−Ｍでは、１以上の端末装置へ送信するデータ信号を割り当てるものとする。
【００３４】
図２により、マクロ基地局装置の構成例の説明をしたが、ピコ基地局装置の構成例も図２と同様の構成であり、説明を省略する。マクロ基地局装置とピコ基地局装置は、異なるＣＣが用いられるため、それぞれ端末装置へダウンリンクのデータ伝送が可能である。そのため、マクロ基地局装置とピコ基地局装置が同一のタイミングでＰＤＣＣＨによりダウンリンクの周波数リソース割当を行った場合、ＣＡによるデータ伝送となる。ダウンリンクのＣＡの一例を図３に示す。端末装置ＵＥ１がマクロ基地局装置をＰｃｅｌｌとし、ピコ基地局装置をＳｃｅｌｌとし、同一タイミングでＰＤＣＣＨを受信した場合、図３のように異なるＣＣでデータが送信される。端末装置は、ダウンリンクのＣＡとしてデータを受信し、Ａ／Ｎを送信する。
【００３５】
図４に、本発明の第１の実施形態に係る端末装置の構成の一例を示す概略ブロック図を示す。同図では、データの受信に用いる受信アンテナ数をＮとしている。Ｎは１以上の整数とする。受信アンテナ２０１−１〜２０１−Ｎは、基地局装置より送信された信号を受信し、受信処理部２０２−１〜２０２−Ｎに受信信号を入力する。ここで、受信アンテナ２０１−１〜２０１−２はマクロ基地局装置より伝送された信号を受信し、受信アンテナ２０１−Ｎはピコ基地局装置より伝送された信号を受信する例を示す。その他のアンテナは、受信アンテナダイバーシチとして用いても良い。以下、受信処理部２０２−２〜２０２−Ｎから割当信号抽出部２０６−２〜２０６−Ｎは、それぞれ受信処理部２０２−１から割当信号抽出部２０６−１の各ブロックと同様の処理を行うため、受信処理部２０２−１から割当信号抽出部２０６−１の処理のみを説明する。
【００３６】
受信処理部２０２−１は、受信アンテナ２０１−１で受信した信号をベースバンド周波数にダウンコンバートし、ダウンコンバートした信号に対してＡ／Ｄ（Ａｎａｌｏｇ／Ｄｉｇｉｔａｌ；アナログ／ディジタル）変換を行うことでディジタル信号を生成する。さらに、受信処理部２０２−１はディジタル信号からＣＰを除去し、ＣＰを除去した受信信号列を参照信号分離部２０３−１に入力する。
【００３７】
参照信号分離部２０３−１は、入力された受信信号列から参照信号列を分離する。参照信号分離部２０３−１は、分離した参照信号列を伝搬路推定部２１１に入力し、参照信号列を分離した残りの受信信号列をＦＦＴ部２０４−１に入力する。
【００３８】
伝搬路推定部２１１は、送受信装置で既知の参照信号列により、伝搬路の周波数応答を推定する。伝搬路推定部２１１は、推定した周波数応答をＵＬ制御情報生成部２１２とＭＩＭＯ分離部２０７に出力する。伝搬路推定部２１１は、参照信号分離部２０３−２より入力された参照信号列より推定された伝搬路の周波数応答もＵＬ制御情報生成部２１２とＭＩＭＯ分離部２０７に出力する。伝搬路推定部２１１は、参照信号分離部２０３−Ｎより入力された参照信号列より推定された伝搬路の周波数応答はＵＬ制御情報生成部２１２と伝搬路補償部２０７−Ｎに出力する。ＵＬ制御情報生成部２１２は、ＣＳＩを基地局装置へ通知する場合には推定した伝搬路の周波数応答を用いる。
【００３９】
一方、ＦＦＴ部２０４−１は、入力された受信信号列を高速フーリエ変換により時間領域信号列から周波数領域信号列に変換し、周波数領域信号列を割り当て制御情報分離部２０５−１に入力する。制御情報分離部２０５−１は、周波数領域信号列をＰＤＣＣＨの信号（制御信号）とＰＤＳＣＨの信号（データ信号）に分離し、ＰＤＣＣＨの信号をＤＬ制御情報検出部２１７に入力し、ＰＤＳＣＨの信号を割当信号抽出部２０６−１に入力する。
【００４０】
ＤＬ制御情報検出部２１７は、制御情報分離部２０５−１〜２０５−ＮよりＰＤＣＣＨの信号が入力され、ＰＤＣＣＨ内に設定されているサーチスペースをブラインドデコーディングすることにより自装置宛の制御情報を検出する。検出した制御情報にダウンリンクのデータ伝送の周波数リソース割当が含まれる場合、ＤＬ制御情報検出部２１７はマクロ基地局装置より通知された周波数リソース割当の情報を割当信号抽出部２０６−１〜２０６−２に入力し、ピコ基地局装置より通知された周波数リソース割当の情報を割当信号抽出部２０６−Ｎに入力する。また、ＤＬ制御情報検出部２１７は、図示していないがＭＣＳなどの情報も復調部２０８−１〜２０８−Ｎ、復号部２０９−１〜２０９−Ｎに入力する。さらに、ＤＬ制御情報検出部２１７は、検出した周波数リソース割当を含む制御情報を通知した基地局装置もしくはＣＣの情報をＣＣ決定部２１３に入力する。ここで、ＣＣの情報は、ＣＣを識別する情報であれば良く、ＰｃｅｌｌかＳｃｅｌｌかの情報やＳｅｒｖｉｎｇ  Ｃｅｌｌの識別子などであるが、これらに限定されない。
【００４１】
割当信号抽出部２０６−１は、ＤＬ制御情報検出部２１７より周波数リソース割当の情報が入力され、周波数領域信号列から基地局装置より送信されたデータ信号列を抽出し、ＭＩＭＯ分離部２０７に入力する。ＭＩＭＯ分離部２０７は、伝搬路推定部２１１より入力された伝搬路の周波数応答よりＭＭＳＥ規範に基づく等化重みを生成し、入力された周波数領域のデータ信号列に対して重みを乗算することでＭＩＭＯ多重された信号を分離する。ＭＩＭＯ分離部２０７は、分離した信号列を復調部２０８−１〜２０８−２に入力する。ただし、ピコ基地局装置より送信された信号列を受信する処理において、ＭＩＭＯ分離部２０７とは異なり伝搬路補償部２０７−Ｎとしている。これは、図４では、ピコ基地局装置が１コードワードのみを送信した例としているためであり、伝搬路による位相回転および振幅変動を補償する伝搬路補償部２０７−Ｎとしている。なお、ピコ基地局装置もＭＩＭＯ伝送しても良い。さらにＭＩＭＯ分離部２０７での信号処理は、ＺＦ（Zero Forcing）基準等の他の基準の空間フィルタリングや、ＭＬＤ（Maximum Likelihood Detection）等の他の検出法を適用してもよい。
【００４２】
復調部２０８−１〜２０８−２は、ＰＤＣＣＨにより通知された変調方式の情報に応じて周波数領域の受信信号列に対して復調処理を施し、ビット系列のＬＬＲ（Ｌｏｇ  Ｌｉｋｅｌｉｈｏｏｄ  Ｒａｔｉｏ）、つまりＬＬＲ列を得る。復調部２０８−１〜２０８−２は、復調で得られたＬＬＲ列を復号部２０９−１〜２０９−２に出力する。復号部２０９−１〜２０９−２は、ＰＤＣＣＨにより通知された符号化率の情報に応じて入力されたＬＬＲに対して復号処理を行う。誤り判定部２１０は、入力された復号後のＬＬＲ列をコードワード毎に硬判定し、誤りが無かった場合にはビット列を送信データとして得る。また、誤りの有無をＵＬ制御情報生成部２１２に入力する。
【００４３】
ピコ基地局装置より送信されたデータの受信処理である復調部２０８−Ｎから誤り判定部２１０−Ｎも復調部２０８−１〜２０８−２から誤り判定部２１０と同様であるため、説明を省略する。誤り判定部２１０−Ｎは、復号後のＬＬＲ列を硬判定した結果に誤りがあるか否かの情報をＵＬ制御情報生成部２１２に入力する。
【００４４】
ＣＣ決定部２１３は、周波数リソース割当を含む制御情報を通知した基地局装置もしくはＣＣの情報がＤＬ制御情報検出部２１７より入力され、この情報に基づきＰＵＣＣＨの信号を送信するＣＣ（基地局装置）を決定する。図５は、ＰＵＣＣＨの信号を送信するＣＣの決定方法に係るフローチャートの一例である。同図では、Ｐｃｅｌｌをマクロ基地局装置とし、Ｓｃｅｌｌをピコ基地局装置としている。ステップＳ１１では、ＰｃｅｌｌとＳｃｅｌｌの両方で周波数リソース割当を含むＰＤＣＣＨを検出した場合はステップＳ１２に移行し、Ｐｃｅｌｌ、Ｓｃｅｌｌのいずれか一方の場合にはステップＳ１５に移行する。ステップＳ１５では、ＰＵＣＣＨの信号を送信するＣＣをＰｃｅｌｌのＣＣに決定し、ステップＳ１６に移行する。ここで、ＰＵＣＣＨの信号の送信に用いるフォーマットの決定方法は後述する。ステップＳ１２では、ＰＵＣＣＨ  ｆｏｒｍａｔ３が使用可能の場合にはステップＳ１３に移行し、ＰＵＣＣＨ  ｆｏｒｍａｔ３が使用できない場合にはステップＳ１４に移行する。ステップＳ１３では、複数のＣＣのＡ／ＮをＰＵＣＣＨ  ｆｏｒｍａｔ３を用いてＳｃｅｌｌであるピコ基地局装置へ送信することを決定する。ステップＳ１４では、複数のＣＣのＡ／ＮをＰＵＣＣＨ  ｆｏｒｍａｔ１ｂ  ｗｉｔｈ  ｃｈａｎｎｅｌ  ｓｅｌｅｃｔｉｏｎを用いてＳｃｅｌｌであるピコ基地局装置へ送信することを決定する。ステップＳ１６では、ＰＵＣＣＨの信号を送信するＣＣの情報を制御情報送信部２１５に入力し、使用するＰＵＣＣＨフォーマットの情報をＵＬ制御情報生成部２１２、ＵＬ制御情報送信電力制御部２１４に入力する。このように、ＰＵＣＣＨ  ｆｏｒｍａｔ３もしくはＵＣＣＨ  ｆｏｒｍａｔ１ｂ  ｗｉｔｈ  ｃｈａｎｎｅｌ  ｓｅｌｅｃｔｉｏｎにより複数のＣＣのダウンリンクのデータに対するＡ／Ｎを送信する時に、端末装置はＳｃｅｌｌであるピコ基地局装置へＡ／Ｎを含む制御情報を送信する。１ＣＣのダウンリンクのデータに対するＡ／Ｎを送信する時に、端末装置はＰｃｅｌｌであるピコ基地局装置へＡ／Ｎを含む制御情報を送信する。
【００４５】
図６は、ステップＳ１５におけるＰＵＣＣＨの信号の送信に用いるフォーマットの決定方法に係るフローチャートの一例である。ステップＳ２１では、ＣＳＩを送信する場合にはステップＳ２２に移行し、ＣＳＩを送信しない場合にはステップＳ２５に移行する。ステップＳ２２では、Ａ／Ｎが１ビットか、複数ビットかを判定する。Ａ／Ｎは、１ＣＣのダウンリンクによるデータ受信であっても、ＭＩＭＯにより複数のコードワードのデータを受信した場合、コードワード毎に通知される。Ｓ２２において、Ａ／Ｎが１ビットの場合にはステップＳ２３に移行し、Ａ／Ｎが複数ビットの場合はステップＳ２４に移行する。ステップＳ２３では、１ビットのＡ／ＮとＣＳＩを送信できるＰＵＣＣＨ  ｆｏｒｍａｔ２ａを使用することを決定する。ステップＳ２４では、２ビットのＡ／ＮとＣＳＩを送信できるＰＵＣＣＨ  ｆｏｒｍａｔ２ｂを使用することを決定する。ステップＳ２５では、Ａ／Ｎが１ビットの場合にはステップＳ２６に移行し、Ａ／Ｎが複数ビットの場合はステップＳ２７に移行する。ステップＳ２６では、１ビットのＡ／Ｎを送信できるＰＵＣＣＨ  ｆｏｒｍａｔ１ａを使用することを決定する。ステップＳ２７では、２ビットのＡ／Ｎを送信できるＰＵＣＣＨ  ｆｏｒｍａｔ１ｂを使用することを決定する。以上の様に、ステップＳ１５では使用するＰＵＣＣＨのフォーマットを決定する。
【００４６】
ＵＬ制御情報生成部２１２は、使用するＰＵＣＣＨのフォーマットの情報がＣＣ決定部２１３より入力され、基地局装置へ通知するＡ／Ｎの情報が誤り判定部２１０、誤り判定部２１０―Ｎより入力される。ＵＬ制御情報生成部２１２は、入力された制御情報を所定のフォーマットの信号に変換し、制御信号列を制御情報送信部２１５に入力する。一方、ＵＬ制御情報送信電力制御部２１４では次式により送信電力を決定し、次式で決定した送信電力を制御情報送信部２１５に入力する。
【００４７】
【数１】
2016058760.tif 000003
…式（１）
【００４８】
ただし、ＰＣＭＡＸ，ｃはｃ番目のＣＣ（serving cell）における端末装置の許容最大送信電力であり、Ｐ０＿ＰＵＣＣＨは基地局装置における目標受信電力であり、ＰＬｃはパスロスを補償するための値であり、ｈ（ｎＣＱＩ，ｎＨＡＲＱ，ｎＳＲ）は指定のフォーマットにおける送信ビット数による値であり、ΔＦ＿ＰＵＣＣＨ（Ｆ）はＰＵＣＣＨのフォーマットに依存する値であり、ΔＴｘＤ（Ｆ’）は上位レイヤより通知されるＰＵＣＣＨの信号の送信に用いるアンテナポート数に依存する値であり、ｇはクローズドループの送信電力制御の値である。ここで、ＰＵＣＣＨフォーマットの情報は、ＣＣ決定部２１３より入力されるものとする。
【００４９】
制御情報送信部２１５は、ＵＬ制御情報生成部２１２より入力された制御信号列をＣＣ決定部２１３より指定されたＣＣのＰＵＣＣＨのリソースに配置し、ＵＬ制御情報送信電力制御部２１４より入力された送信電力に増幅した後に送信アンテナ２１６を介して送信する。
【００５０】
本実施形態の一例では、マクロ基地局装置がＭ＝２のＭＩＭＯによるデータ伝送を行い、ピコ基地局装置がＭ＝１のデータ伝送を行う場合について説明したが、この例に限られない。例えば、マクロ基地局装置がＭ＝１のデータ伝送を行っても良いし、ピコ基地局装置がＭ＝２以上のＭＩＭＯによるデータ伝送を行っても良い。また、本実施形態は、ＰＵＣＣＨ  ｆｏｒｍａｔ１ｂ  ｗｉｔｈ  ｃｈａｎｎｅｌ  ｓｅｌｅｃｔｉｏｎもしくは、ｆｏｒｍａｔ３を用いる場合にＳｃｅｌｌに制御情報を送信するとしたが、ＰｃｅｌｌとＳｃｅｌｌのダウンリンクのデータ伝送に対するＡ／Ｎを同時に送信する場合にＰｃｅｌｌに制御情報を送信しても本発明に含まれる。また、本実施形態では、Ｐｃｅｌｌがマクロ基地局装置とし、Ｓｃｅｌｌがピコ基地局装置としたが、これに限定されない。例えば、マクロ基地局装置が複数のＣＣによるデータ伝送が可能であり、ＰｃｅｌｌとＳｃｅｌｌとして設定され、ピコ基地局装置がＳｃｅｌｌの一つとして設定されても良い。この場合は、端末装置は送信するＰＵＣＣＨのフォーマットによりＰＵＣＣＨの信号を送信する基地局装置を切り替えても良い。具体的には、マクロ基地局装置とピコ基地局装置の構成するＣＣの両方で周波数リソース割当を含むＰＤＣＣＨを検出した場合は、端末装置はＰＵＣＣＨの信号をピコ基地局装置の構成するＣＣに送信し、マクロ基地局装置とピコ基地局装置の構成するＣＣのいずれか一方で周波数リソース割当を含むＰＤＣＣＨを検出した場合は、端末装置はマクロ基地局装置の構成するＣＣにＰＵＣＣＨの信号を送信するようにしても良い。
【００５１】
以上により、本実施形態では端末装置は送信するＰＵＣＣＨのフォーマットによりＰＵＣＣＨの信号を送信するＣＣをＰｃｅｌｌもしくはＳｃｅｌｌに切り替えるため、ＰＤＳＣＨのトラフィックと同様にＰＵＣＣＨのトラフィックもオフロードが可能となる。その結果、ＰｃｅｌｌのＣＣにおいてＰＵＳＣＨのリソースを十分に確保できるため、アップリンクのスループットの低下を抑制することができる。
【００５２】
（第１の実施形態の変形例）
第１の実施形態では、ＰｃｅｌｌとＳｃｅｌｌの両方でダウンリンクの周波数リソース割当を含むＰＤＣＣＨを検出した場合のみにＰＵＣＣＨのトラフィックをＳｃｅｌｌにオフロードした。これは、ＣＡの場合のみにＳｃｅｌｌのＰＵＣＣＨを使用することを意味し、オフロードの効果は限定的である。変形例では、ＰＵＣＣＨのトラフィックをよりＳｃｅｌｌへオフロードするために、Ｓｃｅｌｌでダウンリンクの周波数リソース割当を含むＰＤＣＣＨを検出した場合にＰＵＣＣＨのトラフィックをＳｃｅｌｌにオフロードする例について説明する。第１の実施形態の変形例のマクロ基地局装置とピコ基地局装置の構成例は、第１の実施形態と同様であり、それぞれ図２となる。ただし、端末装置の構成例が異なり、図７となる。図７において図４と異なる点はＣＣ決定部３１３のみであり、その他は同様であるため説明を省略する。
【００５３】
ＣＣ決定部３１３は、周波数リソース割当を含む制御情報を通知した基地局装置もしくは該制御情報の通知に使用されたＣＣの情報がＤＬ制御情報検出部２１７より入力され、この情報に基づきＰＵＣＣＨの信号を送信するＣＣ（基地局装置）を決定する。図８は、ＰＵＣＣＨの信号を送信するＣＣの決定方法に係るフローチャートの一例である。
【００５４】
同図では、Ｐｃｅｌｌを使用する基地局をマクロ基地局装置とし、Ｓｃｅｌｌを使用する基地局をピコ基地局装置としている。ステップＳ３１では、Ｓｃｅｌｌで周波数リソース割当を含むＰＤＣＣＨを検出した場合はステップＳ３２に移行し、検出しなかった場合はステップＳ３８に移行する。ステップＳ３８では、ＰＵＣＣＨの信号を送信するＣＣをＰｃｅｌｌのＣＣに決定し、ステップＳ３５に移行する。ここで、ＰＵＣＣＨの信号の送信に用いるフォーマットの決定方法は図６と同様である。ステップＳ３２では、Ｐｃｅｌｌで周波数リソース割当を含むＰＤＣＣＨを検出した場合はステップＳ３３に移行し、検出しなかった場合はステップＳ３７に移行する。ステップＳ３７では、ＰＵＣＣＨの信号を送信するＣＣをＳｃｅｌｌのＣＣに決定し、ステップＳ３５に移行する。ここで、ＰＵＣＣＨの信号の送信に用いるフォーマットの決定方法は図６と同様である。ステップＳ３３では、ＰＵＣＣＨ  ｆｏｒｍａｔ３が使用可能の場合にはステップＳ３４に移行し、ＰＵＣＣＨ  ｆｏｒｍａｔ３が使用できない場合にはステップＳ３６に移行する。ステップＳ３４では、複数のＣＣのダウンリンク信号のＡ／ＮをＳｃｅｌｌであるＣＣでＰＵＣＣＨ  ｆｏｒｍａｔ３を用いて送信することを決定する。ステップＳ３６では、複数のＣＣのダウンリンク信号のＡ／ＮをＳｃｅｌｌであるＣＣでＰＵＣＣＨ  ｆｏｒｍａｔ１ｂ  ｗｉｔｈ  ｃｈａｎｎｅｌ  ｓｅｌｅｃｔｉｏｎを用いて送信することを決定する。ステップＳ３５では、ＰＵＣＣＨの信号を送信するＣＣの情報を制御情報送信部２１５に入力し、使用するＰＵＣＣＨフォーマットの情報をＵＬ制御情報生成部２１２、ＵＬ制御情報送信電力制御部２１４に入力する。
【００５５】
本実施形態では、Ｐｃｅｌｌがマクロ基地局装置とし、Ｓｃｅｌｌがピコ基地局装置としたが、これに限定されない。例えば、マクロ基地局装置が複数のＣＣによるデータ伝送が可能であり、ＰｃｅｌｌとＳｃｅｌｌとして設定され、ピコ基地局装置がＳｃｅｌｌの一つとして設定されても良い。例えば、ピコ基地局装置の周波数リソース割当を含むＰＤＣＣＨを検出した際に端末装置はＰＵＣＣＨの信号をピコ基地局装置の構成するＣＣに送信するとしても良い。
【００５６】
以上により、本実施形態ではＳｃｅｌｌで周波数リソース割当を含むＰＤＣＣＨを検出した場合にはＳｃｅｌｌのＰＵＣＣＨよりＡ／Ｎを送信する。そのため、ＰＤＳＣＨのトラフィックと同様にＰＵＣＣＨのトラフィックもオフロードが可能となる。その結果、ＰｃｅｌｌのＣＣにおいてＰＵＳＣＨのリソースを十分に確保できるため、アップリンクのスループットの低下を抑制することができる。
【００５７】
（第２の実施形態）
第１の実施形態のように、ＰＵＣＣＨのトラフィックをＳｃｅｌｌにオフロードする場合には、ＰＵＣＣＨを送信するＣＣが切り替わることを意味する。しかしながら、従来は、ＰＵＣＣＨの送信はＰｃｅｌｌに限定されており、ＰＵＣＣＨの送信電力制御も固定のＣＣのみに送信することを前提としている。ＰｃｅｌｌとＳｃｅｌｌがそれぞれマクロ基地局装置とピコ基地局装置となる場合には基地局装置毎に目標受信電力が異なることが考えられる。その場合は、複数の端末装置が異なる目標受信電力でＰＵＣＣＨを行うと、基地局装置では受信信号に電力差が生じる。特に、ＰＵＣＣＨは、コード多重されることから受信信号に電力差があるとコード間干渉を生じ、誤り率特性の劣化の原因となる。よって、本実施形態では、ＰＵＣＣＨを送信するＣＣが切り替わる場合の送信電力制御について説明する。本実施形態のマクロ基地局装置とピコ基地局装置の構成例は、前実施形態と同様であり、それぞれ図２となる。ただし、端末装置の構成例が異なり、図９となる。図９において図４と異なる点はＵＬ制御情報送信電力制御部４１４のみであり、その他は同様のため説明を省略する。
【００５８】
本実施形態におけるＵＬ制御情報送信電力制御部４１４では、使用するＰＵＣＣＨフォーマットの情報に加えて、ＰＵＣＣＨの信号を送信するＣＣの情報も入力される。ＵＬ制御情報送信電力制御部４１４では、次式により制御情報を送信する際の送信電力を決定する。
【００５９】
【数２】
2016058760.tif 000004
…式（２）
【００６０】
式（２）は、式（１）とＰ０＿ＰＵＣＣＨ，ｃが異なり、目標受信電力をＣＣ（serving cell）毎に設定できることを意味する。式（２）を用いることにより、ＰＵＣＣＨの送信をＰｃｅｌｌとＳｃｅｌｌとで切り替える場合に、ＰＵＣＣＨの信号を送信するＣＣ毎に適切な目標受信電力を設定することができる。特に、ＰｃｅｌｌとＳｃｅｌｌが割り当てられる基地局がそれぞれマクロ基地局装置とピコ基地局装置である場合には、目標受信電力を異なる値にすることで与干渉の制御をすることが好ましい。ピコ基地局装置へ送信する場合のＰＵＣＣＨの送信電力制御に用いる目標受信電力Ｐ０＿ＰＵＣＣＨ，２は、マクロ基地局装置へ送信する場合のＰＵＣＣＨの送信電力制御に用いる目標受信電力Ｐ０＿ＰＵＣＣＨ，１に対して、次式を満たすように設定することが可能である。
【００６１】
【数３】
2016058760.tif 000005
…式（３）
【００６２】
ただし、上記の複数のＣＣ（serving cell）の目標受信電力の設定方法は一例であり、本実施形態ではＣＣ毎に目標受信電力を決定できれば良い。また、Ｐ０＿ＰＵＣＣＨ，ｃはＣＣ毎にそれぞれＲＲＣ（Radio Resource Control）シグナリングにより通知されても良いし、１つのＣＣの目標受信電力のみＲＲＣシグナリングにより通知され、その他のＣＣの目標受信電力は他の通信パラメータによって決定されても良い。
【００６３】
以上により、本実施形態ではＣＣ毎に目標受信電力を決定し、送信電力制御に用いることで、ＣＣ毎に適切なＰＵＣＣＨの送信電力制御が可能となる。その結果、基地局装置では複数の端末装置からＰＵＣＣＨにより送信された制御情報を受信した際に、受信電力差が大きくなる事を回避でき、制御情報を減らすことができる。よって、ＰＵＣＣＨのトラフィックもオフロードが可能となり、ＰｃｅｌｌのＣＣにおいてＰＵＳＣＨのリソースを十分に確保できるため、アップリンクのスループットの低下を抑制することができる。
【００６４】
（第３の実施形態）
前実施形態では、ダウンリンクの周波数リソース割当を含むＰＤＣＣＨを検出したＣＣがＰｃｅｌｌかＳｃｅｌｌかでＰＵＣＣＨのトラフィックをＳｃｅｌｌにオフロードするかを決定した。本実施形態では、ウンリンクの周波数リソース割当を含むＰＤＣＣＨを検出したＣＣのセルＩＤに基づいてＰＵＣＣＨのトラフィックをＳｃｅｌｌにオフロードするかを決定する例について説明する。第３の実施形態のマクロ基地局装置とピコ基地局装置の構成例は、第１の実施形態と同様であり、それぞれ図２となる。ただし、端末装置の構成例が異なり、図１０となる。図１０において図９と異なる点はＣＣ決定部５１３とＤＬ制御情報検出部５１７、ＣＩＤ記憶部５２０のみであり、その他は同様のため説明を省略する。
【００６５】
ＤＬ制御情報検出部５１７は、制御情報分離部２０５−１〜２０５−ＮよりＰＤＣＣＨの信号が入力され、ＰＤＣＣＨ内に設定されているサーチスペースをブラインドデコーディングすることにより自装置宛の制御情報を検出する。検出した制御情報にダウンリンクのデータ伝送の周波数リソース割当が含まれる場合、ＤＬ制御情報検出部５１７はマクロ基地局装置より通知された場合は周波数リソース割当の情報を割当信号抽出部２０６−１〜２０６−２に入力し、ピコ基地局装置より通知された場合は周波数リソース割当の情報を割当信号抽出部２０６−Ｎに入力する。また、ＤＬ制御情報検出部５１７は、図示していないがＭＣＳなどの情報も復調部２０８−１〜２０８−Ｎ、復号部２０９−１〜２０９−Ｎに入力する。さらに、ＤＬ制御情報検出部５１７は、検出した周波数リソース割当を含む制御情報を通知した基地局装置のセルＩＤ（CID: Cell ID）をＣＣ決定部５１３に入力する。ここで、ＣＣ決定部５１３に入力されるＣＩＤは物理セルＩＤ（PCID: Physical CID）でも良いし、仮想セルＩＤ（VCID: Virtual CID）でも良い。
【００６６】
ＣＩＤ記憶部５２０は、ＣＩＤと基地局装置の種別を対応付けるテーブルを記憶しており、このテーブルをＣＣ決定部５１３に入力する。ＣＩＤと基地局装置の種別を対応付けるテーブルは予め決められても良いし、基地局装置より制御情報などで通知されても良い。また、ＣＩＤと基地局装置の種別を対応付けるテーブルの一例は、ＣＩＤが０〜Ｘの場合にマクロ基地局装置、ＣＩＤがＸ＋１〜５０３の場合にピコ基地局装置のように対応付けるなどである。ただし、Ｘは０≦Ｘ≦５０２を満たす整数とする。また、テーブルはこの例に限らず、例えば、ＣＩＤがＹの倍数の場合はマクロ基地局装置、それ以外の場合はピコ基地局装置とするなど、どのように対応付けても良い。
【００６７】
ＣＣ決定部５１３は、ＣＩＤ記憶部５２０からＣＩＤと基地局装置の種別を対応付けるテーブルが入力され、ＤＬ制御情報検出部５１７から検出した周波数リソース割当を含む制御情報を通知した基地局装置のＣＩＤが入力される。ＣＣ決定部５１３は、検出した周波数リソース割当を含む制御情報を通知した基地局装置の種別を判別し、判別した基地局装置の種別に基づいてＰＵＣＣＨの信号を送信するＣＣを決定する。
【００６８】
図１１は、本実施形態におけるＰＵＣＣＨの信号を送信するＣＣの決定方法に係るフローチャートの一例である。ステップＳ４１では、周波数リソース割当を含むＰＤＣＣＨを検出したＣＣにピコ基地局装置が構成するＣＣが含まれるかを判定する。ピコ基地局装置が構成するＣＣで周波数リソース割当を含むＰＤＣＣＨを検出した場合はステップＳ４２に移行し、検出しなかった場合はステップＳ４７に移行する。ステップＳ４７では、ＰＵＣＣＨの信号の送信にマクロ基地局装置が構成するＣＣを用いることを決定し、ステップＳ４８に移行する。ここで、ＰＵＣＣＨの信号を送信するのに用いるフォーマットの決定方法は図６と同様である。ステップＳ４２では、周波数リソース割当を含むＰＤＣＣＨを複数検出した場合はステップＳ４３に移行し、複数検出しなかった場合はステップＳ４６に移行する。周波数リソース割当を含むＰＤＣＣＨを複数検出の例は、マクロ基地局装置とピコ基地局装置の構成するＣＣのＰＤＣＣＨを同一タイミングで検出するなどである。
【００６９】
ステップＳ４６では、ＰＵＣＣＨの信号の送信にピコ基地局装置の構成するＣＣを用いることを決定し、ステップＳ４８に移行する。ここで、ＰＵＣＣＨの信号の送信に用いるフォーマットの決定方法は図６と同様である。ステップＳ４３では、ＰＵＣＣＨ  ｆｏｒｍａｔ３が使用可能の場合にはステップＳ４４に移行し、ＰＵＣＣＨ  ｆｏｒｍａｔ３が使用できない場合にはステップＳ４５に移行する。ステップＳ４４では、複数のＣＣのＡ／Ｎの送信にピコ基地局装置が構成するＣＣを用いることを決定し、且つＰＵＣＣＨ  ｆｏｒｍａｔ３を用いることを決定する。ステップＳ４５では、複数のＣＣのＡ／Ｎの送信にピコ基地局装置が構成するＣＣを用いることを決定し、且つＰＵＣＣＨ  ｆｏｒｍａｔ１ｂ  ｗｉｔｈ  ｃｈａｎｎｅｌ  ｓｅｌｅｃｔｉｏｎを用いることを決定する。ステップＳ４８では、ＰＵＣＣＨの信号を送信する基地局装置の種別を示すＣＣの情報を制御情報送信部２１５に入力し、使用するＰＵＣＣＨフォーマットの情報をＵＬ制御情報生成部２１２、ＵＬ制御情報送信電力制御部４１４に入力する。
【００７０】
以上により、本実施形態では周波数リソース割当を含むＰＤＣＣＨを検出した基地局装置にピコ基地局装置が含まれる場合にはピコ基地局装置が構成するＣＣのＰＵＣＣＨよりＡ／Ｎを送信する。そのため、ＰＤＳＣＨのトラフィックと同様にＰＵＣＣＨのトラフィックもオフロードが可能となる。その結果、ＰｃｅｌｌのＣＣにおいてＰＵＳＣＨのリソースを十分に確保できるため、アップリンクのスループットの低下を抑制することができる。
【００７１】
（第４の実施形態）
前実施形態では、ダウンリンクの周波数リソース割当を含むＰＤＣＣＨを検出したＣＣの情報に基づいてＰＵＣＣＨのトラフィックをＳｃｅｌｌにオフロードするかを決定した。しかしながら、ＰＵＣＣＨを送信するＣＣの指定方法としては柔軟性が高くなく、ＰＵＣＣＨのトラフィックの変化を考慮してダイナミックにＰＵＣＣＨを送信するＣＣを切り替えることができなかった。本実施形態では、ＰＤＣＣＨを検出したＣＣの情報ではなく、基地局装置がダウンリンクの周波数リソース割当と一緒にＡ／Ｎを送信するＣＣを指定する情報をＰＤＣＣＨで通知することで、ダイナミックにＰＵＣＣＨを送信するＣＣを切り替える例について説明する。第４の実施形態のマクロ基地局装置とピコ基地局装置の構成例は、第１〜第３の実施形態と同様であり、それぞれ図２となる。ただし、端末装置の構成例が異なり、図１２となる。図１２において図９と異なる点はＣＣ決定部６１３とＤＬ制御情報検出部６１７のみであり、その他は同様のため説明を省略する。
【００７２】
ＤＬ制御情報検出部６１７は、制御情報分離部２０５−１〜２０５−ＮよりＰＤＣＣＨの信号が入力され、ＰＤＣＣＨ内に設定されているサーチスペースをブラインドデコーディングすることにより自局宛の制御情報を検出する。検出した制御情報にダウンリンクのデータ伝送の周波数リソース割当が含まれる場合、ＤＬ制御情報検出部６１７はマクロ基地局装置より通知された場合は周波数リソース割当の情報を割当信号抽出部２０６−１〜２０６−２に入力し、ピコ基地局装置より通知された場合は周波数リソース割当の情報を割当信号抽出部２０６−Ｎに入力する。また、ＤＬ制御情報検出部６１７は、図示していないがＭＣＳなどの情報も復調部２０８−１〜２０８−Ｎ、復号部２０９−１〜２０９−Ｎに入力する。さらに、ＤＬ制御情報検出部６１７は、検出した周波数リソース割当を含む制御情報にダウンリンクのデータ伝送に対するＡ／Ｎを送信するＣＣ（serving cell）の情報が含まれており、Ａ／Ｎを送信するＣＣの情報をＣＣ決定部６１３に入力する。
【００７３】
ＣＣ決定部６１３は、制御情報により指定されたＡ／Ｎを送信するＣＣの情報をＰＵＣＣＨの信号を送信するＣＣの情報として、ＵＬ制御情報生成部２１２と制御情報送信部２１５、ＵＬ制御情報送信電力制御部４１４に入力する。
【００７４】
なお、ＰＤＣＣＨより通知される制御情報に含まれるＡ／Ｎを送信するＣＣの情報は、特定のＣＣで送信される制御情報のみに含まれても良い。例えば、Ｐｃｅｌｌで受信した制御情報はＡ／Ｎを送信するＣＣの情報を有し、Ｓｃｅｌｌで受信した制御情報はＡ／Ｎを送信するＣＣの情報を有さないようにしても良い。また、ＰＤＣＣＨより通知される制御情報に含まれるＡ／Ｎを送信するＣＣの情報は、すべてのＣＣで送信される制御情報に含まれても良い。この場合に、端末装置は、受信した複数の制御情報に含まれるＡ／Ｎを送信するＣＣの情報が異なるＣＣを示す場合、Ｐｃｅｌｌで受信した制御情報を優先するなどを行っても良い。
【００７５】
本実施形態では、マクロ基地局装置の構成するＣＣをＰｃｅｌｌとし、ピコ基地局装置の構成するＣＣをＳｃｅｌｌとしたが、これに限定されず、ピコ基地局装置の構成するＣＣをＰｃｅｌｌとし、マクロ基地局装置の構成するＣＣをＳｃｅｌｌとしても良い。また、マクロ基地局装置が複数のＣＣを有し、マクロ基地局装置が構成する１つのＣＣをＰｃｅｌｌ、マクロ基地局装置が構成する他のＣＣをＳｃｅｌｌ、ピコ基地局装置の構成するＣＣをＳｃｅｌｌとしても良い。
【００７６】
以上により、本実施形態では周波数リソース割当を含むＰＤＣＣＨに含まれるＡ／Ｎを送信するＣＣの情報に基づき、ＰＵＣＣＨの信号を送信するＣＣが決定する。そのため、ＰＵＣＣＨをＰｃｅｌｌとＳｃｅｌｌのどちらにでも送信することが可能であり、ＰＤＳＣＨのトラフィックと同様にＰＵＣＣＨのトラフィックもオフロードが可能となる。その結果、ＰｃｅｌｌのＣＣにおいてＰＵＳＣＨのリソースを十分に確保できるため、アップリンクのスループットの低下を抑制することができる。
【００７７】
（第５の実施形態）
前実施形態では、ダウンリンクの周波数リソース割当を含むＰＤＣＣＨの検出もしくは、ＰＤＣＣＨに含まれる制御情報によりＰＵＣＣＨのトラフィックをＳｃｅｌｌにオフロードするかを決定した。本実施形態では、ＳｃｅｌｌにＰＵＣＣＨの送信が可能か否かでＵＣＣＨのトラフィックをＳｃｅｌｌにオフロードするかを決定する例について説明する。第５の実施形態のマクロ基地局装置とピコ基地局装置の構成例は、第１〜第４の実施形態と同様であり、それぞれ図２となる。ただし、端末装置の構成例が異なり、図１３となる。図１３において図１０と異なる点はＣＣ決定部７１３とＤＬ制御情報検出部７１７、接続ＣＣ管理部７２０のみであり、その他は同様のため説明を省略する。また、ＤＬ制御情報検出部７１７は図１０のＤＬ制御情報検出部５１７と異なる点は検出した周波数リソース割当を含む制御情報を通知した基地局装置のＣＩＤをＣＣ決定部７１３に入力しないことである。その他のＤＬ制御情報検出部７１７の処理は、ＤＬ制御情報検出部５１７と同じため、説明を省略する。
【００７８】
接続ＣＣ管理部７２０は、端末装置が接続しているＣＣを管理しており、接続しているＣＣの情報を有している。ＣＣの種別とは、接続しているＣＣにＰｃｅｌｌに加えてＳｃｅｌｌが含まれるかなどである。また、接続しているＣＣとはＰＤＣＣＨのブラインドデコーディングが常に必要であり、ダウンリンクの参照信号によるＣＳＩ測定が必要であるＣＣを意味する。接続ＣＣ管理部７２０は、接続しているＣＣの情報をＣＣ決定部７１３に入力する。
【００７９】
図１４は、本実施形態におけるＰＵＣＣＨの信号を送信するＣＣの決定方法に係るフローチャートの一例である。同図では、マクロ基地局装置の構成するＣＣをＰｃｅｌｌとし、ピコ基地局装置の構成するＣＣをＳｃｅｌｌとしている。
【００８０】
ステップＳ５１では、接続しているＣＣにＳｃｅｌｌが含まれるかを判定する。Ｓｃｅｌｌと接続している場合にはステップＳ５２に移行し、Ｓｃｅｌｌと接続していない場合はステップＳ５７に移行する。ステップＳ５７では、ＰＵＣＣＨの信号を送信するＣＣをＰｃｅｌｌのＣＣに決定し、ステップＳ５８に移行する。ここで、ＰＵＣＣＨの信号の送信に用いるフォーマットの決定方法は図６と同様である。ステップＳ５２では、周波数リソース割当を含むＰＤＣＣＨを複数検出した場合はステップＳ５３に移行し、複数検出しなかった場合はステップＳ５６に移行する。周波数リソース割当を含むＰＤＣＣＨを複数検出の例は、ＰｃｅｌｌとＳｃｅｌｌのＰＤＣＣＨを同一タイミングで検出するなどである。また、複数のＳｃｅｌｌのＰＤＣＣＨを同一タイミングで検出しても良い。
【００８１】
ステップＳ５６では、ＰＵＣＣＨの信号を送信するＣＣをＳｃｅｌｌのＣＣに決定し、ステップＳ５８に移行する。ここで、ＰＵＣＣＨの信号の送信に用いるフォーマットの決定方法は図６と同様である。ステップＳ５３では、ＰＵＣＣＨ  ｆｏｒｍａｔ３が使用可能の場合にはステップＳ５４に移行し、ＰＵＣＣＨ  ｆｏｒｍａｔ３が使用できない場合にはステップＳ５５に移行する。ステップＳ５４では、複数のＣＣのダウンリンク信号のＡ／ＮをＰＵＣＣＨ  ｆｏｒｍａｔ３を用いてＳｃｅｌｌであるピコ基地局装置へ送信することを決定する。ステップＳ５５では、複数のＣＣのダウンリンク信号のＡ／ＮをＰＵＣＣＨ  ｆｏｒｍａｔ１ｂ  ｗｉｔｈ  ｃｈａｎｎｅｌ  ｓｅｌｅｃｔｉｏｎを用いてＳｃｅｌｌであるピコ基地局装置へ送信することを決定する。ステップＳ５８では、ＰＵＣＣＨの信号を送信するＣＣの情報を制御情報送信部２１５に入力し、使用するＰＵＣＣＨフォーマットの情報をＵＬ制御情報生成部２１２、ＵＬ制御情報送信電力制御部４１４に入力する。
【００８２】
以上により、本実施形態では接続しているＣＣにＳｃｅｌｌが含まれる場合にはＳｃｅｌｌのＰＵＣＣＨよりＡ／Ｎを送信する。そのため、ＰＤＳＣＨのトラフィックと同様にＰＵＣＣＨのトラフィックもオフロードが可能となる。その結果、ＰｃｅｌｌのＣＣにおいてＰＵＳＣＨのリソースを十分に確保できるため、アップリンクのスループットの低下を抑制することができる。
【００８３】
なお、上述した実施形態に係る端末装置、基地局装置の一部、をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末装置又は基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態に係る端末装置又は基地局装置の一部、または全部を、ＬＳＩ（Ｌａｒｇｅ  Ｓｃａｌｅ  Ｉｎｔｅｇｒａｔｉｏｎ）等の集積回路として実現しても良い。端末装置又は基地局装置の各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００８４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８５】
Ｍａｃｒｏ  ｅＮＢ…マクロ基地局装置
Ｐｉｃｏ  ｅＮＢ…ピコ基地局装置
ＵＥ１〜ＵＥ２…端末装置
Ｍ１…マクロ基地局装置の構成するセル
Ｐ１…ピコ基地局装置の構成するセル
１０１−１〜１０１−Ｍ…再送制御部
１０２−１〜１０２−Ｍ…符号化部
１０３−１〜１０３−Ｍ…変調部
１０４−１〜１０４−Ｍ…信号割当部
１０５−１〜１０５−Ｍ…制御情報多重部
１０６−１〜１０６−Ｍ…ＩＦＦＴ部
１０７−１〜１０７−Ｍ…送信処理部
１０８−１〜１０８−Ｍ…送信アンテナ
１０９…受信アンテナ
１１０…受信部
１１１…制御情報検出部
１１２…スケジューリング部
１１３…ＤＬ制御情報生成部
１１４…参照信号生成部
１１５…ＤＬ制御情報管理部
２０１−１〜２０１−Ｎ…受信アンテナ
２０２−１〜２０２−Ｎ…受信処理部
２０３−１〜２０３−Ｎ…参照信号分離部
２０４−１〜２０４−Ｎ…ＦＦＴ部
２０５−１〜２０５−Ｎ…制御情報分離部
２０６−１〜２０６−Ｎ…割当信号抽出部
２０７…ＭＩＭＯ分離部
２０７−Ｎ…伝搬路補償部
２０８−１〜２０８−Ｎ…復調部
２０９−１〜２０９−Ｎ…複号部
２１０−１〜２１０−Ｎ…誤り判定部
２１１…伝搬路推定部
２１２…ＵＬ制御情報生成部
２１３…ＣＣ決定部
２１４…ＵＬ制御情報送信電力制御部
２１５…制御情報送信部
２１６…送信アンテナ
２１７…ＤＬ制御情報検出部
３１３…ＣＣ決定部
４１４…ＵＬ制御情報送信電力制御部
５１３…ＣＣ決定部
５１７…ＤＬ制御情報検出部
５２０…ＣＩＤ記憶部
６１３…ＣＣ決定部
６１７…ＤＬ制御情報検出部
７１３…ＣＣ決定部
７１７…ＤＬ制御情報検出部
７２０…接続ＣＣ管理部
【図１】
2016058760.tif 000006
【図２】
2016058760.tif 000007
【図３】
2016058760.tif 000008
【図４】
2016058760.tif 000009
【図５】
2016058760.tif 000010
【図６】
2016058760.tif 000011
【図７】
2016058760.tif 000012
【図８】
2016058760.tif 000013
【図９】
2016058760.tif 000014
【図１０】
2016058760.tif 000015
【図１１】
2016058760.tif 000016
【図１２】
2016058760.tif 000017
【図１３】
2016058760.tif 000018
【図１４】
2016058760.tif 000019